(57)【要約】【課題】上り信号の衝突を回避すること。【解決手段】複数のＯＮＵと複数の通信速度で通信し、光信号の送信許可に関する情報である送信許可情報に基づいて複数のＯＮＵが送信した光信号を受信する親局装置であるＯＬＴ１００は、生成制御部１３０と、送受信部１１０と、複数の通信速度のうち、第１の通信速度で通信するＯＮＵへの光出力の停止指示を受信し、第１の通信速度で通信するＯＮＵ宛の送信許可情報を生成しないように制御指示を生成制御部１３０に送信し、停止指示を送受信部１１０に送信する監視制御部１４０と、を有する。生成制御部１３０は、制御指示を受信した場合、第１の通信速度で通信するＯＮＵ宛の送信許可情報を生成しないように制御する。送受信部１１０は、停止指示を受信した場合、第１の通信速度で通信するＯＮＵへの光出力を停止する。【選択図】図３
2019161283.tif 000002
【特許請求の範囲】
【請求項１】
複数の子局装置と複数の通信速度で通信し、光信号の送信許可に関する情報である送信許可情報に基づいて前記複数の子局装置が送信した光信号を受信する親局装置である光通信装置であって、
生成制御部と、
送受信部と、
前記複数の通信速度のうち、第１の通信速度で通信する子局装置への光出力の停止指示を受信し、前記第１の通信速度で通信する子局装置宛の前記送信許可情報を生成しないように制御指示を前記生成制御部に送信し、前記停止指示を前記送受信部に送信する監視制御部と、
を有し、
前記生成制御部は、前記制御指示を受信した場合、前記第１の通信速度で通信する子局装置宛の前記送信許可情報を生成しないように制御し、
前記送受信部は、前記停止指示を受信した場合、前記第１の通信速度で通信する子局装置への光出力を停止する、
光通信装置。
【請求項２】
前記送信許可情報は、子局装置が実行する光信号の送信の開始が許可される時刻である送信許可時刻と、前記送信許可時刻から所定の時間である許可時間とを含み、
前記送受信部は、前記監視制御部が前記停止指示を受信する前に、前記第１の通信速度で通信する子局装置に送信した前記送信許可情報に含まれている前記送信許可時刻から前記許可時間経過後、前記第１の通信速度で通信する子局装置への光出力を停止する、
請求項１に記載の光通信装置。
【請求項３】
前記送受信部は、前記停止指示を受信してから前記送信許可情報の送信周期時間が経過した後、前記第１の通信速度で通信する子局装置への光出力を停止する、
請求項１に記載の光通信装置。
【請求項４】
前記監視制御部は、前記停止指示を受信した場合、前記第１の通信速度で通信する子局装置に割当てる割当帯域がないことを示す第１の情報が含まれた前記送信許可情報の生成を前記生成制御部に指示し、
前記生成制御部は、前記第１の情報が含まれた前記送信許可情報を生成し、
前記送受信部は、前記第１の情報が含まれた前記送信許可情報を、前記第１の通信速度で通信する子局装置に送信する、
請求項１から３のいずれか１項に記載の光通信装置。
【請求項５】
複数の子局装置と複数の通信速度で通信し、光信号の送信許可に関する情報である送信許可情報に基づいて前記複数の子局装置が送信した光信号を受信する親局装置である光通信装置が、
前記複数の通信速度のうち、第１の通信速度で通信する子局装置への光出力の停止指示を受信し、
前記第１の通信速度で通信する子局装置宛の前記送信許可情報を生成しないように制御し、
前記第１の通信速度で通信する子局装置への光出力を停止する、
制御方法。
【請求項６】
複数の子局装置と複数の通信速度で通信し、光信号の送信許可に関する情報である送信許可情報に基づいて前記複数の子局装置が送信した光信号を受信する親局装置である光通信装置に、
前記複数の通信速度のうち、第１の通信速度で通信する子局装置への光出力の停止指示を受信し、
前記第１の通信速度で通信する子局装置宛の前記送信許可情報を生成しないように制御し、
前記第１の通信速度で通信する子局装置への光出力を停止する、
処理を実行させる制御プログラム。
【発明の詳細な説明】
【技術分野】
【０００１】
本発明は、光通信装置、制御方法、及び制御プログラムに関する。
【背景技術】
【０００２】
光通信システムであるＰＯＮ（Ｐａｓｓｉｖｅ  Ｏｐｔｉｃａｌ  Ｎｅｔｗｏｒｋ）システムが、知られている。ＰＯＮシステムは、通信事業者局舎に設置される光通信装置（「親局装置」とも言う）と、加入者側（子局側）の複数の光通信装置（「子局装置」とも言う）とを含む。親局装置は、ＯＬＴ（Ｏｐｔｉｃａｌ  Ｌｉｎｅ  Ｔｅｒｍｉｎａｔｉｏｎ）と言う。子局装置は、ＯＮＵ（Ｏｐｔｉｃａｌ  Ｎｅｔｗｏｒｋ  Ｕｎｉｔ）と言う。
【０００３】
例えば、ＰＯＮシステムには、ＩＥＥＥ８０２．３に準拠した方式であるＧＥ−ＰＯＮ（Ｇｉｇａｂｉｔ  Ｅｔｈｅｒｎｅｔ−Ｐａｓｓｉｖｅ  Ｏｐｔｉｃａｌ  Ｎｅｔｗｏｒｋ）システム、又は１０Ｇ−ＥＰＯＮ（１０Ｇｉｇａｂｉｔ  Ｅｔｈｅｒｎｅｔ  Ｐａｓｓｉｖｅ  Ｏｐｔｉｃａｌ  Ｎｅｔｗｏｒｋ）システムがある。ここで、Ｅｔｈｅｒｎｅｔは、登録商標である。
【０００４】
ＧＥ−ＰＯＮシステム（以下、ＧＥ−ＰＯＮ）では、１Ｇｂｐｓの通信速度で通信が可能である。１０Ｇ−ＥＰＯＮシステム（以下、１０Ｇ−ＥＰＯＮ）では、１０Ｇｂｐｓの通信速度で通信が可能である。
【０００５】
１０Ｇ−ＥＰＯＮでは、ＧＥ−ＰＯＮと同様、ＯＬＴとＯＮＵとの間でＭＰＣＰ（Ｍｕｌｔｉ−Ｐｏｉｎｔ  Ｃｏｎｔｒｏｌ  Ｐｒｏｔｏｃｏｌ）フレームを送受信することにより、ＯＮＵがＯＬＴに登録又は解除される。また、１０Ｇ−ＥＰＯＮでは、上り信号の時分割多重（Ｔｉｍｅ  Ｄｉｖｉｓｉｏｎ  Ｍｕｌｔｉｐｌｅｘｉｎｇ：ＴＤＭ）制御等が行われる。なお、上り信号とは、ＯＮＵがＯＬＴに送信する光信号である。
【０００６】
また、ＧＥ−ＰＯＮ及び１０ＧＥ−ＰＯＮでは、ＯＬＴとＯＮＵとの間で通信を開始する前に、ＭＰＣＰフレームを送受信することにより、ＯＬＴとＯＮＵとの間で論理的な接続関係が確立される。論理的な接続関係をＰＯＮリンクと表現する。
【０００７】
１０Ｇ−ＥＰＯＮでは、２種類の異なる通信速度（例えば、１Ｇｂｐｓと１０Ｇｂｐｓ）でＯＬＴとＯＮＵとが通信することができる。ここで、２種類のうちの１つの種類の通信速度で通信することが可能なＯＮＵがＯＬＴに未登録の場合、当該ＯＮＵへの光出力が無駄になる。そこで、当該ＯＮＵがＯＬＴに未登録の場合、ＯＬＴが当該ＯＮＵへの光出力を停止する技術が提案されている（特許文献１を参照）。
【先行技術文献】
【特許文献】
【０００８】
【特許文献１】特開２０１６−１９２６６８号公報
【発明の概要】
【発明が解決しようとする課題】
【０００９】
ところで、複数の通信速度で通信するＰＯＮシステムでは、ＯＬＴからＯＮＵにＧＡＴＥフレームが送信される。ＧＡＴＥフレームには、上り信号の送信許可時刻及び許可時間が登録されている。ＯＮＵは、送信許可時刻又は許可時間に基づいて上り信号をＯＬＴに送信する。例えば、上り信号は、ユーザフレームである。
【００１０】
また、ＯＬＴは、ＯＮＵとの間でＰＯＮリンクが確立した後、時刻情報をＯＮＵに送信する。例えば、ＯＬＴは、周期的に時刻情報をＯＮＵに送信する。ＯＮＵは、時刻情報を用いて、ＯＮＵ内で管理している時間情報を調整する。そして、ＯＮＵは、調整した時間情報を参照して、送信許可時刻及び許可時間を確認し、上り信号をＯＬＴに送信する。
【００１１】
ここで、ＯＬＴが何の考慮もなく光出力を停止してしまう場合がある。例えば、ＯＬＴは、ある通信速度で通信するＯＮＵにＧＡＴＥフレームを送信した後、当該ＯＮＵへの光出力を停止する。光出力が停止されることで、当該ＯＮＵは、時刻情報を受信しなくなる。そのため、当該ＯＮＵは、当該ＯＮＵ内で管理している時間情報を調整しない。当該ＯＮＵは、光出力が停止されてからＰＯＮリンクが切断されるまでの間に、調整されていない時間情報を参照して、送信許可時刻及び許可時間を確認し、上り信号をＯＬＴに送信する。当該ＯＮＵが送信した上り信号は、他の通信速度で通信するＯＮＵが送信した上り信号と衝突する可能性がある。
【００１２】
本発明の目的は、上り信号の衝突を回避することである。
【課題を解決するための手段】
【００１３】
本発明の一態様に係る光通信装置が提供される。光通信装置は、複数の子局装置と複数の通信速度で通信し、光信号の送信許可に関する情報である送信許可情報に基づいて前記複数の子局装置が送信した光信号を受信する親局装置である。光通信装置は、生成制御部と、送受信部と、前記複数の通信速度のうち、第１の通信速度で通信する子局装置への光出力の停止指示を受信し、前記第１の通信速度で通信する子局装置宛の前記送信許可情報を生成しないように制御指示を前記生成制御部に送信し、前記停止指示を前記送受信部に送信する監視制御部と、を有する。前記生成制御部は、前記制御指示を受信した場合、前記送信許可情報を生成しないように制御する。前記送受信部は、前記停止指示を受信した場合、前記第１の通信速度で通信する子局装置への光出力を停止する。
【発明の効果】
【００１４】
本発明によれば、上り信号の衝突を回避することができる。
【図面の簡単な説明】
【００１５】
【図１】実施の形態１の光通信システムを示す図である。
【図２】実施の形態１のＯＬＴが有する主なハードウェア構成を示す図である。
【図３】実施の形態１のＯＬＴの構成を示す機能ブロック図である。
【図４】実施の形態１の光通信システムで実行される処理のシーケンス図である。
【図５】実施の形態２のＯＬＴの構成を示す機能ブロック図である。
【図６】実施の形態２の光通信システムで実行される処理のシーケンス図である。
【図７】実施の形態３のＯＬＴの構成を示す機能ブロック図である。
【図８】実施の形態３の光通信システムで実行される処理のシーケンス図である。
【発明を実施するための形態】
【００１６】
以下、図面を参照しながら実施の形態を説明する。以下の実施の形態は、例にすぎず、本発明の範囲内で種々の変更が可能である。
【００１７】
実施の形態１．
図１は、実施の形態１の光通信システムを示す図である。光通信システムは、ＯＬＴ１００とＯＮＵ２００＿１，２００＿２，・・・，２００＿ｎ（ｎは、３以上の整数）とを含む。ＯＬＴ１００とＯＮＵ２００＿１，・・・，２００＿ｎとは、光スプリッタ３００を介して接続する。また、ＯＬＴ１００と光スプリッタ３００との間は、光ファイバで接続される。ＯＮＵ２００＿１，・・・，２００＿ｎと光スプリッタ３００との間は、光ファイバで接続される。
【００１８】
ここで、ＯＮＵ２００＿１，・・・，２００＿ｎを総称して、ＯＮＵ２００＿ｉ（ｉは、正の整数）と表現する。
【００１９】
ＯＬＴ１００は、制御方法を実行する装置である。ＯＬＴ１００は、端末装置４００と接続する。ＯＬＴ１００は、上位ネットワーク１０に接続する。ＯＬＴ１００は、上位ネットワーク１０から取得した情報（電気信号）を光信号に変換して、当該光信号をＯＮＵ２００＿ｉに送信することができる。ＯＬＴ１００がＯＮＵ２００＿ｉに送信する光信号を下り信号と表現する。また、ＯＮＵ２００＿ｉが送信する光信号を上り信号と表現する。ＯＬＴ１００は、上り信号（すなわち、光信号）を電気信号に変換し、当該電気信号を上位ネットワーク１０に送信することができる。
【００２０】
ＯＮＵ２００＿１，・・・，２００＿ｎは、ユーザネットワーク２０＿１，２０＿２，・・・，２０＿ｎに接続する。ユーザネットワーク２０＿１，・・・，２０＿ｎを総称して、ユーザネットワーク２０＿ｉと表現する。ＯＮＵ２００＿ｉは、下り信号（すなわち、光信号）を電気信号に変換し、当該電気信号をユーザネットワーク２０＿ｉに送信することができる。ＯＮＵ２００＿ｉは、ユーザネットワーク２０＿ｉから取得した電気信号を光信号に変換し、当該光信号（すなわち、上り信号）をＯＬＴ１００に送信することができる。
【００２１】
端末装置４００は、ユーザが使用する装置である。端末装置４００は、ユーザの操作により、様々な指示をＯＬＴ１００に送信することができる。
ＯＬＴ１００は、ＯＮＵ２００＿１，・・・，２００＿ｎと複数の通信速度で通信する。例えば、ＯＬＴ１００とＯＮＵ２００＿１とは、１Ｇｂｐｓの光信号を送受信する。ＯＬＴ１００とＯＮＵ２００＿２とは、１０Ｇｂｐｓの光信号を送受信する。ＯＬＴ１００とＯＮＵ２００＿３とは、１０Ｇｂｐｓの光信号を送受信する。
【００２２】
次に、ＯＬＴ１００の主なハードウェア構成について説明する。
図２は、実施の形態１のＯＬＴが有する主なハードウェア構成を示す図である。ＯＬＴ１００は、プロセッサ１０１、揮発性記憶装置１０２、及び不揮発性記憶装置１０３を有する。
【００２３】
プロセッサ１０１は、ＯＬＴ１００全体を制御する。例えば、プロセッサ１０１は、ＣＰＵ（Ｃｅｎｔｒａｌ  Ｐｒｏｃｅｓｓｉｎｇ  Ｕｎｉｔ）、又はＦＰＧＡ（Ｆｉｅｌｄ  Ｐｒｏｇｒａｍｍａｂｌｅ  Ｇａｔｅ  Ａｒｒａｙ）などである。プロセッサ１０１は、マルチプロセッサでもよい。ＯＬＴ１００は、処理回路によって実現されてもよく、又は、ソフトウェア、ファームウェア若しくはそれらの組み合わせによって実現されてもよい。なお、処理回路は、単一回路又は複合回路でもよい。
【００２４】
揮発性記憶装置１０２は、ＯＬＴ１００の主記憶装置である。例えば、揮発性記憶装置１０２は、ＲＡＭ（Ｒａｎｄｏｍ  Ａｃｃｅｓｓ  Ｍｅｍｏｒｙ）である。不揮発性記憶装置１０３は、ＯＬＴ１００の補助記憶装置である。例えば、不揮発性記憶装置１０３は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）である。
【００２５】
ＯＮＵ２００＿ｉは、ＯＬＴ１００と同様に、プロセッサ、揮発性記憶装置、及び不揮発性記憶装置を有する。
【００２６】
図３は、実施の形態１のＯＬＴの構成を示す機能ブロック図である。ＯＬＴ１００は、送受信部１１０、信号処理部１２０、生成制御部１３０、及び監視制御部１４０を有する。送受信部１１０は、Ｏ（Ｏｐｔｉｃａｌ）／Ｅ（Ｅｌｅｃｔｒｉｃａｌ）変換部１１１を含む。生成制御部１３０は、ＰＯＮ制御部１３１を含む。
【００２７】
送受信部１１０の機能は、Ｏ／Ｅ変換部１１１の機能と同じである。そのため、送受信部１１０の機能については、Ｏ／Ｅ変換部１１１を用いて説明する。また、生成制御部１３０の機能は、ＰＯＮ制御部１３１の機能と同じである。そのため、生成制御部１３０の機能については、ＰＯＮ制御部１３１を用いて説明する。
【００２８】
Ｏ／Ｅ変換部１１１（すなわち、送受信部１１０）、信号処理部１２０、ＰＯＮ制御部１３１（すなわち、生成制御部１３０）、及び監視制御部１４０の一部又は全部は、ＯＬＴ１００が有するプロセッサ１０１によって実現してもよい。Ｏ／Ｅ変換部１１１、信号処理部１２０、ＰＯＮ制御部１３１、及び監視制御部１４０の一部又は全部は、ＯＬＴ１００が有するプロセッサ１０１が実行するプログラムのモジュールとして実現してもよい。当該プログラムは、制御プログラムとも言う。
【００２９】
Ｏ／Ｅ変換部１１１は、ＯＮＵ２００＿ｉから受信した上り信号を電気信号に変換する。Ｏ／Ｅ変換部１１１は、変換した電気信号を信号処理部１２０に送信する。また、Ｏ／Ｅ変換部１１１は、信号処理部１２０から受信した電気信号を下り信号に変換する。Ｏ／Ｅ変換部１１１は、下り信号をＯＮＵ２００＿ｉに送信する。
Ｏ／Ｅ変換部１１１は、監視制御部１４０が送信した指示に従い、通信速度毎、又はすべての光出力をＯＮ又はＯＦＦにすることができる。
【００３０】
信号処理部１２０は、電気信号をＰＯＮ制御部１３１に送信するための前処理を行う。例えば、信号処理部１２０は、エラー訂正処理、及び暗号化処理を実行する。また、信号処理部１２０は、電気信号に暗号化処理を実行することができる。
ＰＯＮ制御部１３１は、ＩＥＥＥ８０２．３に規定されているＭＰＣＰ機能に関する制御を行う。具体的には、ＰＯＮ制御部１３１は、ＤｉｓｃｏｖｅｒｙプロセスによるＰＯＮリンクの確立、ＧＡＴＥ／ＲＥＰＯＲＴプロセスによる上り信号のＴＤＭ制御等を行う。これにより、ＯＬＴ１００は、各ＯＮＵが送信する上り信号が衝突することなく、上り信号を受信できる。
【００３１】
ＰＯＮ制御部１３１は、上位ネットワーク１０から取得した情報に様々な処理を行う。また、ＰＯＮ制御部１３１は、ＧＡＴＥフレームを生成する。例えば、ＧＡＴＥフレームには、ＯＮＵが利用する上り通信の帯域割当量、送信許可時刻、及び許可時間が登録される。送信許可時刻とは、上り信号の送信の開始が許可される時刻である。許可時間とは、上り信号の送信が許可される時間であり、送信許可時刻から所定の時間である。
ＧＡＴＥフレームは、送信許可情報とも言う。送信許可情報は、光信号の送信許可に関する情報である。送信許可情報には、光信号の送信を許可しないことを示す情報が含まれる場合がある。例えば、送信許可情報には、割当帯域がないこと（すなわち、帯域割当量が０）を示す情報が含まれる。
【００３２】
監視制御部１４０は、複数の通信速度のうち、第１の通信速度で通信するＯＮＵへの光出力の停止指示を端末装置４００から受信する。監視制御部１４０は、第１の通信速度で通信するＯＮＵ宛のＧＡＴＥフレームを生成しないように制御指示をＰＯＮ制御部１３１に送信する。また、監視制御部１４０は、第１の通信速度で通信するＯＮＵへの光出力の停止指示をＯ／Ｅ変換部１１１に送信する。
【００３３】
ＰＯＮ制御部１３１は、監視制御部１４０から制御指示を受信した場合、第１の通信速度で通信するＯＮＵ宛のＧＡＴＥフレームを生成しないように制御する。これにより、第１の通信速度で通信するＯＮＵは、ＧＡＴＥフレームを受信できなくなる。また、第１の通信速度で通信するＯＮＵが複数存在する場合、第１の通信速度で通信する複数のＯＮＵは、ＧＡＴＥフレームを受信できなくなる。
【００３４】
なお、ＰＯＮ制御部１３１は、監視制御部１４０から制御指示を受信した場合、第１の通信速度で通信するＯＮＵ宛のＧＡＴＥフレームを既に生成している場合、ＧＡＴＥフレームを送信しないように制御する。
【００３５】
Ｏ／Ｅ変換部１１１は、第１の通信速度で通信するＯＮＵへの光出力の停止指示を監視制御部１４０から受信した場合、第１の通信速度で通信するＯＮＵへの光出力を停止する。これにより、第１の通信速度で通信するＯＮＵでは、光の入力が停止される。また、第１の通信速度で通信するＯＮＵが複数存在する場合、第１の通信速度で通信する複数のＯＮＵでは、光の入力が停止される。
【００３６】
次に、光通信システムで実行される処理について、シーケンス図を用いて説明する。
図４は、実施の形態１の光通信システムで実行される処理のシーケンス図である。図４の処理は、図３を参照する。説明を簡単にするため、ＯＮＵ２００＿１とＯＮＵ２００＿２を用いて説明する。ＯＬＴ１００とＯＮＵ２００＿１とは、１Ｇｂｐｓの光信号を送受信する。ＯＬＴ１００とＯＮＵ２００＿２とは、１０Ｇｂｐｓの光信号を送受信する。
【００３７】
図４の線１１は、ＯＬＴ１００がＯＮＵ２００＿１に対する処理を時系列で説明するための線である。図４の線１２は、ＯＬＴ１００がＯＮＵ２００＿２に対する処理を時系列で説明するための線である。
【００３８】
図４は、ＯＬＴ１００とＯＮＵ２００＿１との間でＰＯＮリンクが確立しているものとする。また、図４は、ＯＬＴ１００とＯＮＵ２００＿２との間でＰＯＮリンクが確立しているものとする。ＯＬＴ１００は、ＯＮＵ２００＿１とＯＮＵ２００＿２に時刻情報を周期的に送信する。ＯＮＵ２００＿１とＯＮＵ２００＿２は、時刻情報を用いて、それぞれが管理している時間情報を調整する。ＯＮＵ２００＿１とＯＮＵ２００＿２は、上り信号を送信する際、調整した時間情報を参照して、ＧＡＴＥフレームに含まれる送信許可時刻及び許可時間を確認して、上り信号をＯＬＴに送信する。なお、例えば、上り信号とは、ユーザフレームである。また、上り信号には、ＲＥＰＯＲＴフレームを含むことができる。ＲＥＰＯＲＴフレームについては、後で詳細に説明する。
【００３９】
（ステップＳ１０１）ＯＬＴ１００のＰＯＮ制御部１３１は、ＧＡＴＥフレームを生成する。
ＯＬＴ１００の信号処理部１２０は、ＧＡＴＥフレームに様々な処理を行う。例えば、信号処理部１２０は、ＧＡＴＥフレームに対して暗号化処理を行う。
【００４０】
ＯＬＴ１００のＯ／Ｅ変換部１１１は、ＧＡＴＥフレーム（電気信号）を光信号に変換する。詳細には、ＯＬＴ１００のＯ／Ｅ変換部１１１は、ＧＡＴＥフレーム（電気信号）を１Ｇｂｐｓの光信号に変換する。ＯＬＴ１００のＯ／Ｅ変換部１１１は、光信号をＯＮＵ２００＿１に送信する。このように、ＯＬＴ１００のＯ／Ｅ変換部１１１は、ＧＡＴＥフレームをＯＮＵ２００＿１に送信する。
【００４１】
（ステップＳ１０２）ＯＬＴ１００のＰＯＮ制御部１３１は、ＧＡＴＥフレームを生成する。ＯＬＴ１００の信号処理部１２０は、ＧＡＴＥフレームに様々な処理を行う。ＯＬＴ１００のＯ／Ｅ変換部１１１は、ＧＡＴＥフレーム（電気信号）を光信号に変換する。詳細には、ＯＬＴ１００のＯ／Ｅ変換部１１１は、ＧＡＴＥフレーム（電気信号）を１０Ｇｂｐｓの光信号に変換する。ＯＬＴ１００のＯ／Ｅ変換部１１１は、光信号をＯＮＵ２００＿２に送信する。このように、ＯＬＴ１００のＯ／Ｅ変換部１１１は、ＧＡＴＥフレームをＯＮＵ２００＿２に送信する。
【００４２】
（ステップＳ１０３）ＯＮＵ２００＿１は、ＯＮＵ２００＿１が受信したＧＡＴＥフレームに登録されていた送信許可時刻又は許可時間に基づいて、ＲＥＰＯＲＴフレームが含まれた光信号をＯＬＴ１００に送信する。すなわち、ＯＮＵ２００＿１は、ＲＥＰＯＲＴフレームをＯＬＴ１００に送信する。
【００４３】
ＲＥＰＯＲＴフレームは、ＧＡＴＥフレームに登録されていた送信許可時刻及び許可時間に、次の送信許可時刻及び許可時間が登録されているＧＡＴＥフレームを受け取るために送信されるフレームである。なお、ＲＥＰＯＲＴフレームが含まれた光信号は、１Ｇｂｐｓの光信号である。
【００４４】
（ステップＳ１０４）ＯＮＵ２００＿２は、ＯＮＵ２００＿２が受信したＧＡＴＥフレームに登録されていた送信許可時刻又は許可時間に基づいて、ＲＥＰＯＲＴフレームが含まれた光信号をＯＬＴ１００に送信する。すなわち、ＯＮＵ２００＿２は、ＲＥＰＯＲＴフレームをＯＬＴ１００に送信する。なお、ＲＥＰＯＲＴフレームが含まれた光信号は、１０Ｇｂｐｓの光信号である。
【００４５】
（ステップＳ１０５）ＯＮＵ２００＿１は、ＯＮＵ２００＿１が受信したＧＡＴＥフレームに登録されていた送信許可時刻又は許可時間に基づいて、ユーザフレームが含まれた光信号をＯＬＴ１００に送信する。すなわち、ＯＮＵ２００＿１は、ユーザフレームをＯＬＴ１００に送信する。なお、ユーザフレームが含まれた光信号は、１Ｇｂｐｓの光信号である。
【００４６】
（ステップＳ１０６）ＯＮＵ２００＿２は、ＯＮＵ２００＿２が受信したＧＡＴＥフレームに登録されていた送信許可時刻又は許可時間に基づいて、ユーザフレームが含まれた光信号をＯＬＴ１００に送信する。すなわち、ＯＮＵ２００＿２は、ユーザフレームをＯＬＴ１００に送信する。なお、ユーザフレームが含まれた光信号は、１０Ｇｂｐｓの光信号である。
【００４７】
このように、ＯＮＵ２００＿１及びＯＮＵ２００＿２は、ＧＡＴＥフレームに登録されていた送信許可時刻又は許可時間に上り信号を送信する。また、ＯＮＵ２００＿１及びＯＮＵ２００＿２は、ユーザフレームを送信許可時刻に送信し、送信許可時刻から許可時間までにＲＥＰＯＲＴフレームを送信してもよい。また、ＯＮＵ２００＿１及びＯＮＵ２００＿２は、送信許可時刻に、ユーザフレームとＲＥＰＯＲＴフレームを同時に送信してもよい。
【００４８】
（ステップＳ１０７）ＯＬＴ１００のＰＯＮ制御部１３１は、ＧＡＴＥフレームを生成する。ＯＬＴ１００の信号処理部１２０は、ＧＡＴＥフレームに様々な処理を行う。ＯＬＴ１００のＯ／Ｅ変換部１１１は、ＧＡＴＥフレーム（電気信号）を光信号に変換する。ＯＬＴ１００のＯ／Ｅ変換部１１１は、光信号をＯＮＵ２００＿１に送信する。
【００４９】
（ステップＳ１０８）ＯＬＴ１００の監視制御部１４０は、１０Ｇｂｐｓで通信するＯＮＵ２００＿２への光出力の停止指示を端末装置４００から受信する。光出力の停止指示を光出力ＯＦＦ指示と表現する。
【００５０】
ＯＬＴ１００の監視制御部１４０は、１０Ｇｂｐｓで通信するＯＮＵ２００＿２宛のＧＡＴＥフレームを生成しないように制御指示をＰＯＮ制御部１３１に送信する。
また、ＯＬＴ１００の監視制御部１４０は、光出力ＯＦＦ指示をＯ／Ｅ変換部１１１に送信する。
【００５１】
（ステップＳ１０９）ＯＬＴ１００のＰＯＮ制御部１３１は、監視制御部１４０から制御指示を受信する。ＯＬＴ１００のＰＯＮ制御部１３１は、１０Ｇｂｐｓで通信するＯＮＵ２００＿２宛のＧＡＴＥフレームを生成しないように制御する。
【００５２】
（ステップＳ１１０）ＯＬＴ１００のＯ／Ｅ変換部１１１は、光出力ＯＦＦ指示を監視制御部１４０から受信する。ＯＬＴ１００のＯ／Ｅ変換部１１１は、ＯＮＵ２００＿２への光出力をＯＦＦにする。すなわち、ＯＬＴ１００のＯ／Ｅ変換部１１１は、ＯＮＵ２００＿２への光出力を停止する。
【００５３】
（ステップＳ１１１）ＯＮＵ２００＿２では、光の入力が停止される。ＯＬＴ１００とＯＮＵ２００＿２との間のＰＯＮリンクは、光の入力が停止されることで、切断される。
（ステップＳ１１２）ＯＮＵ２００＿１は、ＯＮＵ２００＿１が受信したＧＡＴＥフレームに登録されていた送信許可時刻又は許可時間に基づいて、ＲＥＰＯＲＴフレームが含まれた光信号をＯＬＴ１００に送信する。
【００５４】
（ステップＳ１１３）ＯＮＵ２００＿１は、ＯＮＵ２００＿１が受信したＧＡＴＥフレームに登録されていた送信許可時刻又は許可時間に基づいて、ユーザフレームが含まれた光信号をＯＬＴ１００に送信する。
【００５５】
このように、ＯＬＴ１００は、ＯＮＵ２００＿２にＧＡＴＥフレームを送信する前に光送信ＯＦＦ指示を受信した場合、ＯＮＵ２００＿２宛のＧＡＴＥフレームを生成しないように制御する。制御した後、ＯＬＴ１００は、光出力をＯＦＦにする。ＯＮＵ２００＿２は、ＧＡＴＥフレームを受信しないため、上り信号を送信しなくなる。よって、ＯＬＴ１００は、光出力をＯＦＦにした後、ＯＮＵ２００＿２が上り信号を送信しないことで、ＯＮＵ２００＿１が送信した上り信号が衝突することを回避できる。
【００５６】
なお、ステップＳ１１２及び１１３は、ステップＳ１０８の前に実行されてもよい。
図４は、ＯＬＴ１００と２種類の通信速度で通信するＯＮＵを例示した。しかし、通信速度の種類の数及びＯＮＵの数は、この例の数に限らない。
【００５７】
実施の形態２．
次に、実施の形態２を説明する。実施の形態１と相違する事項を主に説明し、実施の形態１と共通する事項の説明を省略する。実施の形態２の説明では、図１〜３を参照する。
実施の形態２は、ＯＬＴがＧＡＴＥフレームを送信した後に光出力ＯＦＦ指示を受信した場合について説明する。
【００５８】
図５は、実施の形態２のＯＬＴの構成を示す機能ブロック図である。ＯＬＴ１００ａは、送受信部１１０ａと監視制御部１４０ａを有する。送受信部１１０ａは、Ｏ／Ｅ変換部１１１ａを含む。送受信部１１０ａの機能は、Ｏ／Ｅ変換部１１１ａの機能と同じである。そのため、送受信部１１０ａの機能については、Ｏ／Ｅ変換部１１１ａを用いて説明する。Ｏ／Ｅ変換部１１１ａと監視制御部１４０ａの機能については、後で詳細に説明する。
図３に示される構成と同じ又は対応する図５の構成は、図３に示される符号と同じ符号を付している。
【００５９】
図６は、実施の形態２の光通信システムで実行される処理のシーケンス図である。図６の処理は、図５を参照する。説明を簡単にするため、ＯＮＵ２００＿１とＯＮＵ２００＿２を用いて説明する。
【００６０】
図６の線１１ａは、ＯＬＴ１００ａがＯＮＵ２００＿１に対する処理を時系列で説明するための線である。図６の線１２ａは、ＯＬＴ１００ａがＯＮＵ２００＿２に対する処理を時系列で説明するための線である。
【００６１】
図６は、ＯＬＴ１００ａとＯＮＵ２００＿１との間でＰＯＮリンクが確立しているものとする。また、図６は、ＯＬＴ１００ａとＯＮＵ２００＿２との間でＰＯＮリンクが確立しているものとする。ＯＬＴ１００ａは、ＯＮＵ２００＿１とＯＮＵ２００＿２に時刻情報を周期的に送信する。ＯＮＵ２００＿１とＯＮＵ２００＿２は、時刻情報を用いて、それぞれが管理している時間情報を調整する。ＯＮＵ２００＿１とＯＮＵ２００＿２は、上り信号を送信する際、調整した時間情報を参照して、ＧＡＴＥフレームに含まれる送信許可時刻及び許可時間を確認して、上り信号をＯＬＴに送信する。
【００６２】
（ステップＳ１２１）ＯＬＴ１００ａのＰＯＮ制御部１３１は、ＧＡＴＥフレームを生成する。ＯＬＴ１００ａの信号処理部１２０は、ＧＡＴＥフレームに様々な処理を行う。ＯＬＴ１００ａのＯ／Ｅ変換部１１１ａは、ＧＡＴＥフレーム（電気信号）を光信号に変換する。詳細には、ＯＬＴ１００ａのＯ／Ｅ変換部１１１ａは、ＧＡＴＥフレーム（電気信号）を１Ｇｂｐｓの光信号に変換する。ＯＬＴ１００ａのＯ／Ｅ変換部１１１ａは、光信号をＯＮＵ２００＿１に送信する。このように、ＯＬＴ１００ａのＯ／Ｅ変換部１１１ａは、ＧＡＴＥフレームをＯＮＵ２００＿１に送信する。
【００６３】
（ステップＳ１２２）ＯＬＴ１００ａのＰＯＮ制御部１３１は、ＧＡＴＥフレームを生成する。ＯＬＴ１００ａの信号処理部１２０は、ＧＡＴＥフレームに様々な処理を行う。ＯＬＴ１００ａのＯ／Ｅ変換部１１１ａは、ＧＡＴＥフレーム（電気信号）を光信号に変換する。詳細には、ＯＬＴ１００ａのＯ／Ｅ変換部１１１ａは、ＧＡＴＥフレーム（電気信号）を１０Ｇｂｐｓの光信号に変換する。ＯＬＴ１００ａのＯ／Ｅ変換部１１１ａは、光信号をＯＮＵ２００＿２に送信する。このように、ＯＬＴ１００ａのＯ／Ｅ変換部１１１ａは、ＧＡＴＥフレームをＯＮＵ２００＿２に送信する。
【００６４】
（ステップＳ１２３）ＯＬＴ１００ａの監視制御部１４０ａは、１０Ｇｂｐｓで通信するＯＮＵ２００＿２への光出力の停止指示を端末装置４００から受信する。すなわち、ＯＬＴ１００ａの監視制御部１４０ａは、光出力ＯＦＦ指示を端末装置４００から受信する。ＯＬＴ１００ａの監視制御部１４０ａは、１０Ｇｂｐｓで通信するＯＮＵ２００＿２宛のＧＡＴＥフレームを生成しないように制御指示をＰＯＮ制御部１３１に送信する。
なお、ＯＬＴ１００ａの監視制御部１４０ａは、後述するステップＳ１２５又はステップＳ１２６の後に制御指示をＰＯＮ制御部１３１に送信してもよい。
【００６５】
ここで、ステップＳ１２２でＧＡＴＥフレームが既に送信されている。ＯＬＴ１００ａが光出力をＯＦＦにした場合、ＯＮＵ２００＿２は、時刻情報を取得できない。そのため、ＯＮＵ２００＿２は、ＯＮＵ２００＿２で管理している時間情報を調整しない。ＯＮＵ２００＿２は、光出力が停止されてからＰＯＮリンクが切断されるまでの間に調整されていない時間情報を参照して、送信許可時刻及び許可時間を確認し、上り信号をＯＬＴ１００ａに送信する。ＯＮＵ２００＿２が送信する上り信号は、ＯＮＵ２００＿１が送信する上り信号と衝突する可能性がある。
【００６６】
そこで、ＯＬＴ１００ａの監視制御部１４０ａは、ＯＮＵ２００＿２に送信したＧＡＴＥフレームに登録されていた送信許可時刻から許可時間経過後に光出力ＯＦＦ指示をＯ／Ｅ変換部１１１ａに送信する。すなわち、ＯＬＴ１００ａの監視制御部１４０ａは、ＯＮＵ２００＿２から上り信号を受信した後に光出力ＯＦＦ指示をＯ／Ｅ変換部１１１ａに送信する。
このように、ＯＬＴ１００ａの監視制御部１４０ａは、光出力ＯＦＦ指示をＯ／Ｅ変換部１１１ａに指示するタイミングを調整する。
【００６７】
（ステップＳ１２４）ＯＬＴ１００ａのＰＯＮ制御部１３１は、監視制御部１４０ａから制御指示を受信する。ＯＬＴ１００ａのＰＯＮ制御部１３１は、１０Ｇｂｐｓで通信するＯＮＵ２００＿２宛のＧＡＴＥフレームを生成しないように制御する。
【００６８】
（ステップＳ１２５）ＯＮＵ２００＿１は、ＯＮＵ２００＿１が受信したＧＡＴＥフレームに登録されていた送信許可時刻又は許可時間に基づいて、ＲＥＰＯＲＴフレームが含まれた光信号をＯＬＴ１００ａに送信する。なお、ＲＥＰＯＲＴフレームが含まれた光信号は、１Ｇｂｐｓの光信号である。
【００６９】
（ステップＳ１２６）ＯＮＵ２００＿２は、ＯＮＵ２００＿２が受信したＧＡＴＥフレームに登録されていた送信許可時刻又は許可時間に基づいて、ＲＥＰＯＲＴフレームが含まれた光信号をＯＬＴ１００ａに送信する。なお、ＲＥＰＯＲＴフレームが含まれた光信号は、１０Ｇｂｐｓの光信号である。
【００７０】
（ステップＳ１２７）ＯＮＵ２００＿１は、ＯＮＵ２００＿１が受信したＧＡＴＥフレームに登録されていた送信許可時刻又は許可時間に基づいて、ユーザフレームが含まれた光信号をＯＬＴ１００ａに送信する。なお、ユーザフレームが含まれた光信号は、１Ｇｂｐｓの光信号である。
【００７１】
（ステップＳ１２８）ＯＮＵ２００＿２は、ＯＮＵ２００＿２が受信したＧＡＴＥフレームに登録されていた送信許可時刻又は許可時間に基づいて、ユーザフレームが含まれた光信号をＯＬＴ１００ａに送信する。なお、ユーザフレームが含まれた光信号は、１０Ｇｂｐｓの光信号である。
【００７２】
（ステップＳ１２９）ＯＬＴ１００ａの監視制御部１４０ａは、ＯＮＵ２００＿２に送信したＧＡＴＥフレームに登録されていた送信許可時刻から許可時間経過後に光出力ＯＦＦ指示をＯ／Ｅ変換部１１１ａに送信する。
ＯＬＴ１００ａのＯ／Ｅ変換部１１１ａは、ＯＮＵ２００＿２への光出力をＯＦＦにする。すなわち、ＯＬＴ１００ａのＯ／Ｅ変換部１１１ａは、ＯＮＵ２００＿２への光出力を停止する。
【００７３】
（ステップＳ１３０）ＯＮＵ２００＿２では、光の入力が停止される。ＯＬＴ１００ａとＯＮＵ２００＿２との間のＰＯＮリンクは、光の入力が停止されることで、切断される。
（ステップＳ１３１）ＯＬＴ１００ａのＰＯＮ制御部１３１は、ＧＡＴＥフレームを生成する。ＯＬＴ１００ａの信号処理部１２０は、ＧＡＴＥフレームに様々な処理を行う。ＯＬＴ１００ａのＯ／Ｅ変換部１１１ａは、ＧＡＴＥフレーム（電気信号）を光信号に変換する。ＯＬＴ１００ａのＯ／Ｅ変換部１１１ａは、光信号をＯＮＵ２００＿１に送信する。
【００７４】
（ステップＳ１３２）ＯＮＵ２００＿１は、ＯＮＵ２００＿１が受信したＧＡＴＥフレームに登録されていた送信許可時刻又は許可時間に基づいて、ＲＥＰＯＲＴフレームが含まれた光信号をＯＬＴ１００ａに送信する。
（ステップＳ１３３）ＯＮＵ２００＿１は、ＯＮＵ２００＿１が受信したＧＡＴＥフレームに登録されていた送信許可時刻又は許可時間に基づいて、ユーザフレームが含まれた光信号をＯＬＴ１００ａに送信する。
【００７５】
ステップＳ１２９では、ＯＬＴ１００ａの監視制御部１４０ａがＯＮＵ２００＿２に送信したＧＡＴＥフレームに登録されていた送信許可時刻から許可時間経過後に光出力ＯＦＦ指示をＯ／Ｅ変換部１１１ａに送信した。しかし、ＯＬＴ１００ａの監視制御部１４０ａは、端末装置４００から光出力ＯＦＦ指示を受信した後、直ぐに光出力ＯＦＦ指示をＯ／Ｅ変換部１１１ａに送信してもよい。この場合、Ｏ／Ｅ変換部１１１ａは、ＯＮＵ２００＿２に送信したＧＡＴＥフレームに登録されていた送信許可時刻から許可時間経過後に、ＯＮＵ２００＿２への光出力をＯＦＦにする。
【００７６】
なお、ステップＳ１３１〜１３３は、ステップＳ１２９の前に実行されてもよい。
また、ＯＬＴ１００ａは、ＧＡＴＥフレームの送信周期に基づいて、ＯＮＵ２００＿２への光出力をＯＦＦにしてもよい。例えば、ＯＬＴ１００ａのＯ／Ｅ変換部１１１ａは、光出力ＯＦＦ指示を監視制御部１４０ａから受信する。ＯＬＴ１００ａのＯ／Ｅ変換部１１１ａは、光出力ＯＦＦ指示を受信してからＧＡＴＥフレームの送信周期時間が経過した後、ＯＮＵ２００＿２への光出力をＯＦＦにする。
【００７７】
実施の形態２によれば、ＯＬＴ１００ａは、ＧＡＴＥフレームを生成しないように制御し、かつ、ＯＮＵ２００＿２から上り信号を受信してから光出力を停止する。停止した後、ＯＮＵ２００＿２は、上り信号を送信しない。よって、ＯＬＴ１００ａは、ＯＮＵ２００＿１が送信した上り信号が衝突することを回避できる。
図６は、ＯＬＴ１００ａと２種類の通信速度で通信するＯＮＵを例示した。しかし、通信速度の種類の数及びＯＮＵの数は、この例の数に限らない。
【００７８】
実施の形態３．
次に、実施の形態３を説明する。実施の形態１と相違する事項を主に説明し、実施の形態１と共通する事項の説明を省略する。実施の形態３の説明では、図１〜３を参照する。
実施の形態３は、ＯＬＴが光送信ＯＦＦ指示を受信した後、ＯＮＵに帯域を割り当てないことで、上り信号の衝突を回避する。
【００７９】
図７は、実施の形態３のＯＬＴの構成を示す機能ブロック図である。ＯＬＴ１００ｂは、送受信部１１０ｂ、生成制御部１３０ｂ、及び監視制御部１４０ｂを有する。送受信部１１０ｂは、Ｏ／Ｅ変換部１１１ｂを含む。生成制御部１３０ｂは、ＰＯＮ制御部１３１ｂを含む。
【００８０】
送受信部１１０ｂの機能は、Ｏ／Ｅ変換部１１１ｂの機能と同じである。そのため、送受信部１１０ｂの機能については、Ｏ／Ｅ変換部１１１ｂを用いて説明する。また、生成制御部１３０ｂの機能は、ＰＯＮ制御部１３１ｂの機能と同じである。そのため、生成制御部１３０ｂの機能については、ＰＯＮ制御部１３１ｂを用いて説明する。
【００８１】
Ｏ／Ｅ変換部１１１ｂ、ＰＯＮ制御部１３１ｂ、及び監視制御部１４０ｂの機能については、後で詳細に説明する。
図３に示される構成と同じ又は対応する図７の構成は、図３に示される符号と同じ符号を付している。
【００８２】
図８は、実施の形態３の光通信システムで実行される処理のシーケンス図である。図８の処理は、図７を参照する。説明を簡単にするため、ＯＮＵ２００＿１とＯＮＵ２００＿２を用いて説明する。
図８の線１１ｂは、ＯＬＴ１００ｂがＯＮＵ２００＿１に対する処理を時系列で説明するための線である。図８の線１２ｂは、ＯＬＴ１００ｂがＯＮＵ２００＿２に対する処理を時系列で説明するための線である。
【００８３】
図８は、ＯＬＴ１００ｂとＯＮＵ２００＿１との間でＰＯＮリンクが確立しているものとする。また、図８は、ＯＬＴ１００ｂとＯＮＵ２００＿２との間でＰＯＮリンクが確立しているものとする。
【００８４】
（ステップＳ１４１）ＯＬＴ１００ｂのＰＯＮ制御部１３１ｂは、ＧＡＴＥフレームを生成する。ＯＬＴ１００ｂの信号処理部１２０は、ＧＡＴＥフレームに様々な処理を行う。ＯＬＴ１００ｂのＯ／Ｅ変換部１１１ｂは、ＧＡＴＥフレーム（電気信号）を光信号に変換する。詳細には、ＯＬＴ１００ｂのＯ／Ｅ変換部１１１ｂは、ＧＡＴＥフレーム（電気信号）を１Ｇｂｐｓの光信号に変換する。ＯＬＴ１００ｂのＯ／Ｅ変換部１１１ｂは、光信号をＯＮＵ２００＿１に送信する。このように、ＯＬＴ１００ｂのＯ／Ｅ変換部１１１ｂは、ＧＡＴＥフレームをＯＮＵ２００＿１に送信する。
【００８５】
（ステップＳ１４２）ＯＬＴ１００ｂのＰＯＮ制御部１３１ｂは、ＧＡＴＥフレームを生成する。ＯＬＴ１００ｂの信号処理部１２０は、ＧＡＴＥフレームに様々な処理を行う。ＯＬＴ１００ｂのＯ／Ｅ変換部１１１ｂは、ＧＡＴＥフレーム（電気信号）を光信号に変換する。詳細には、ＯＬＴ１００ｂのＯ／Ｅ変換部１１１ｂは、ＧＡＴＥフレーム（電気信号）を１０Ｇｂｐｓの光信号に変換する。ＯＬＴ１００ｂのＯ／Ｅ変換部１１１ｂは、光信号をＯＮＵ２００＿２に送信する。このように、ＯＬＴ１００ｂのＯ／Ｅ変換部１１１ｂは、ＧＡＴＥフレームをＯＮＵ２００＿２に送信する。
【００８６】
（ステップＳ１４３）ＯＬＴ１００ｂの監視制御部１４０ｂは、１０Ｇｂｐｓで通信するＯＮＵ２００＿２への光出力の停止指示を端末装置４００から受信する。すなわち、ＯＬＴ１００ｂの監視制御部１４０ｂは、光出力ＯＦＦ指示を端末装置４００から受信する。
ＯＬＴ１００ｂの監視制御部１４０ｂは、１０Ｇｂｐｓで通信するＯＮＵ２００＿２に割当てる割当帯域量が０であることが登録されたＧＡＴＥフレームの生成をＰＯＮ制御部１３１ｂに指示する。割当帯域量が０とは、割当帯域がないことを示す。なお、光出力ＯＦＦ指示で指定された通信速度で通信するＯＮＵに割当てる割当帯域がないことを示す情報は、第１の情報と表現してもよい。
【００８７】
ここで、ステップＳ１４３は、ステップＳ１４２の前に実行されてもよい。この場合、ステップＳ１４２で送信されるＧＡＴＥフレームには、ＯＮＵ２００＿２に割当てる割当帯域量が０であることが登録される。
【００８８】
（ステップＳ１４４）ＯＮＵ２００＿１は、ＯＮＵ２００＿１が受信したＧＡＴＥフレームに登録されていた送信許可時刻又は許可時間に基づいて、ＲＥＰＯＲＴフレームが含まれた光信号をＯＬＴ１００ｂに送信する。なお、ＲＥＰＯＲＴフレームが含まれた光信号は、１Ｇｂｐｓの光信号である。
【００８９】
（ステップＳ１４５）ＯＮＵ２００＿２は、ＯＮＵ２００＿２が受信したＧＡＴＥフレームに登録されていた送信許可時刻又は許可時間に基づいて、ＲＥＰＯＲＴフレームが含まれた光信号をＯＬＴ１００ｂに送信する。なお、ＲＥＰＯＲＴフレームが含まれた光信号は、１０Ｇｂｐｓの光信号である。
【００９０】
（ステップＳ１４６）ＯＮＵ２００＿１は、ＯＮＵ２００＿１が受信したＧＡＴＥフレームに登録されていた送信許可時刻又は許可時間に基づいて、ユーザフレームが含まれた光信号をＯＬＴ１００ｂに送信する。なお、ユーザフレームが含まれた光信号は、１Ｇｂｐｓの光信号である。
【００９１】
（ステップＳ１４７）ＯＮＵ２００＿２は、ＯＮＵ２００＿２が受信したＧＡＴＥフレームに登録されていた送信許可時刻又は許可時間に基づいて、ユーザフレームが含まれた光信号をＯＬＴ１００ｂに送信する。なお、ユーザフレームが含まれた光信号は、１０Ｇｂｐｓの光信号である。
ここで、ステップＳ１４４〜１４７は、ステップＳ１４３の前に実行されてもよい。
【００９２】
（ステップＳ１４８）ＯＬＴ１００ｂのＰＯＮ制御部１３１ｂは、ＧＡＴＥフレームを生成する。ＯＬＴ１００ｂの信号処理部１２０は、ＧＡＴＥフレームに様々な処理を行う。ＯＬＴ１００ｂのＯ／Ｅ変換部１１１ｂは、ＧＡＴＥフレーム（電気信号）を光信号に変換する。ＯＬＴ１００ｂのＯ／Ｅ変換部１１１ｂは、光信号をＯＮＵ２００＿１に送信する。このように、ＯＬＴ１００ｂのＯ／Ｅ変換部１１１ｂは、ＧＡＴＥフレームをＯＮＵ２００＿１に送信する。
【００９３】
（ステップＳ１４９）ＯＬＴ１００ｂのＰＯＮ制御部１３１ｂは、ＯＮＵ２００＿２に割当てる割当帯域量が０であることが登録されたＧＡＴＥフレームを生成する。ＯＬＴ１００ｂの信号処理部１２０は、ＧＡＴＥフレームに様々な処理を行う。ＯＬＴ１００ｂのＯ／Ｅ変換部１１１ｂは、ＧＡＴＥフレーム（電気信号）を光信号に変換する。ＯＬＴ１００ｂのＯ／Ｅ変換部１１１ｂは、光信号をＯＮＵ２００＿２に送信する。このように、ＯＬＴ１００ｂのＯ／Ｅ変換部１１１ｂは、ＧＡＴＥフレームをＯＮＵ２００＿２に送信する。
ここで、割当帯域量が０であることが登録されたＧＡＴＥフレームが既にＯＮＵ２００＿２に送信されている場合、ステップＳ１４９は、実行されなくてもよい。
【００９４】
（ステップＳ１５０）ＯＬＴ１００ｂの監視制御部１４０ｂは、ＯＮＵ２００＿２にＧＡＴＥフレームが送信されたことを検出する。ＯＬＴ１００の監視制御部１４０ｂは、ＯＮＵ２００＿２への光出力ＯＦＦ指示をＯ／Ｅ変換部１１１ｂに送信する。
ＯＬＴ１００ｂのＯ／Ｅ変換部１１１ｂは、ＯＮＵ２００＿２への光出力をＯＦＦにする。すなわち、ＯＬＴ１００ｂのＯ／Ｅ変換部１１１ｂは、ＯＮＵ２００＿２への光出力を停止する。
【００９５】
ＯＬＴ１００ｂのＯ／Ｅ変換部１１１ｂは、ＯＮＵ２００＿２に割当てる割当帯域量が０であることが登録されたＧＡＴＥフレームを送信してからＧＡＴＥフレームの送信周期時間が経過した後、ＯＮＵ２００＿２への光出力をＯＦＦにしてもよい。また、Ｏ／Ｅ変換部１１１ｂは、ＯＮＵ２００＿２に送信したＧＡＴＥフレームに登録されていた送信許可時刻から許可時間経過後に、ＯＮＵ２００＿２への光出力をＯＦＦにしてもよい。
【００９６】
（ステップＳ１５１）ＯＮＵ２００＿２は、ＧＡＴＥフレームに登録されている割当帯域量が０であることを検出し、ＲＥＰＯＲＴフレーム及びユーザフレームを送信しないことを決定する。
ＯＮＵ２００＿２では、光の入力が停止される。ＯＬＴ１００ｂとＯＮＵ２００＿２との間のＰＯＮリンクは、光の入力が停止されることで、切断される。
【００９７】
（ステップＳ１５２）ＯＮＵ２００＿１は、ＯＮＵ２００＿１が受信したＧＡＴＥフレームに登録されていた送信許可時刻又は許可時間に基づいて、ＲＥＰＯＲＴフレームが含まれた光信号をＯＬＴ１００ｂに送信する。
【００９８】
（ステップＳ１５３）ＯＮＵ２００＿１は、ＯＮＵ２００＿１が受信したＧＡＴＥフレームに登録されていた送信許可時刻又は許可時間に基づいて、ユーザフレームが含まれた光信号をＯＬＴ１００ｂに送信する。
なお、ステップＳ１４８は、ステップＳ１４９，１５０の後に実行されてもよい。ステップＳ１５２，１５３は、ステップＳ１４９，１５０の前に実行されてもよい。
【００９９】
実施の形態３によれば、ＯＬＴ１００ｂは、割当帯域量が０であることが登録されたＧＡＴＥフレームをＯＮＵ２００＿２に送信することで、ＯＮＵ２００＿２が上り信号を送信しないように抑制できる。そのため、ＯＮＵ２００＿１が送信した上り信号は、衝突が回避される。
【０１００】
また、監視制御部１４０ｂは、送信許可時刻及び許可時間に０が登録されたＧＡＴＥフレームの生成をＰＯＮ制御部１３１ｂに指示してもよい。ＰＯＮ制御部１３１ｂは、送信許可時刻及び許可時間に０が登録されたＧＡＴＥフレームを生成する。Ｏ／Ｅ変換部１１１ｂは、ＧＡＴＥフレームをＯＮＵ２００＿２に送信する。ＯＮＵ２００＿２は、ＯＮＵ２００＿２は、ＧＡＴＥフレームに登録されている送信許可時刻及び許可時間が０であることを検出し、ＲＥＰＯＲＴフレーム及びユーザフレームを送信しないことを決定する。これにより、ＯＮＵ２００＿１が送信した上り信号は、衝突が回避される。
【０１０１】
図８は、ＯＬＴ１００ｂと２種類の通信速度で通信するＯＮＵを例示した。しかし、通信速度の種類の数及びＯＮＵの数は、この例の数に限らない。
【０１０２】
以上に説明した各実施の形態における特徴は、互いに適宜組み合わせることができる。
【符号の説明】
【０１０３】
１０  上位ネットワーク、  １００，１００ａ，１００ｂ  ＯＬＴ、  １１０，１１０ａ，１１０ｂ  送受信部、  １１１，１１１ａ，１１１ｂ  Ｏ／Ｅ変換部、  １２０  信号処理部、  １３０，１３０ｂ  生成制御部、  １３１，１３１ｂ  ＰＯＮ制御部、  １４０，１４０ａ，１４０ｂ  監視制御部、  ２０＿１，２０＿２，・・・，２０＿ｎ  ユーザネットワーク、  ２００＿１，２００＿２，・・・，２００＿ｎ  ＯＮＵ、  ３００  光スプリッタ、  ４００  端末装置。
【図１】
2019161283.tif 000003
【図２】
2019161283.tif 000004
【図３】
2019161283.tif 000005
【図４】
2019161283.tif 000006
【図５】
2019161283.tif 000007
【図６】
2019161283.tif 000008
【図７】
2019161283.tif 000009
【図８】
2019161283.tif 000010